(57)【要約】      （修正有）【課題】抜いたプラグを片付ける事無く、簡素な方法でコードの散乱やプラグ刃部の破損または危険を無くし、使っていない電気製品の待機電力消費を０にするコンセントプラグストッカーを提供する。【解決手段】通常のコンセント穴と同形状の物やその穴部を築けた溝構造の通電していない差し込み部を持つコンセントプラグストッカーを既存のコンセント部、またはその近くに配置する。電源コンセントから抜いた電気製品プラグを、そこに差し込むことにより、プラグ刃部を露出させることなく、安全に保持できる。【選択図】図３
0003187913.tif 000002
【実用新案登録請求の範囲】
【請求項１】
面ファスナー、ワンタッチテープ、両面テープ、接着剤、ビスまたは、既存コンセントプレートに爪を引っ掛ける方法及びそれらを複数兼ね備えた方法に寄り、本考案装置を既存コンセント（電源コンセント）部に直接、またはその近くに配置し、一時的に使わない電気製品の待機電力消費を防ぐ為に電源コンセントから抜いたプラグをプラグ刃部を露出しない方法で保持する装置。
【請求項２】
請求項１の装置において、プラグを保持する部分の構造に関しては、通常のコンセント穴と同形状の物やその穴部を繋げた溝構造を有する事を特徴とする物。
【請求項３】
請求項１の装置において、溝タイプでコンセントプラグを保持する方法を採用した場合、プラグの重さや摩擦力の低下により、ズレたり抜け落ちる事を防止する為に、刃受け部分に凹凸や切れ目を備えた事を特徴とする物。
【請求項４】
請求項１の装置において、ＪＩＳ C 8303：2007 において規格化されている器具に対してワンタッチで取り付けできる事を特徴とするもの。
【請求項５】
請求項１の装置において、磁石を使いプラグを保持する事を特徴とした物。
【請求項６】
請求項１の装置において、複数の刃受け部、若しくは溝部の定位置に目的器具の名称等を示した事を特徴とする物。
【考案の詳細な説明】
【技術分野】
【０００１】
本考案は、電気製品の待機電力を消費しない事、およびコンセント周りにおけるコンセントプラグの散乱を予防する装置に関するものである。
【背景技術】
【０００２】
既存の待機電力を防ぐ装置は、コンセント穴（以下、刃受け）部を占領したままコンセントとプラグの間にスイッチを挟み込むタイプの物や電気的に制御する事に寄り、解決を図ろうとするものしかなく限られた刃受け部を有効活用できなかった。
【０００３】
また、コンセント周りにフック状の物を設置してプラグコードを引っ掛けて置くものやプラグ自体に二次的な部品を付ける等して、コンセントからプラグを抜く事を奨励する品物も見受けられるがどれも限りある刃受け部を占領したままだったり、金属で出来ているプラグ刃部が剥き出しのまま放置される物しかない。
【０００４】
コンセントプラグは金属でできており床に放置していると踏んでしまい、思わぬ傷害を負う事がある。
また、冷蔵庫の上に置いた電子レンジのプラグを抜くとプラグコードが冷蔵庫と壁の間に隠れてしまい、取り出すのに苦労する事がある。
更には、いくつかの機器のコードを同じ場所に置いておくとコード同士が絡まってしまう。
【０００５】
電気製品のプラグ部を何処かに固定していれば、コード端部が交差しないのでコードが深く絡みつく心配が無い。
【０００６】
プラグ刃部は、金属製なので露出させておくと床や壁、人体に傷をつける事が懸念される。
【先行技術文献】
【特許文献】
【０００７】
【特許文献１】特開２００６−２０４８８  特開２０００−２３３６３  特開２００４−１７３３４６  特開２００５−１１６１９８  実開平０５−００２３９３等がある
【特許文献２】数限りあるコンセント穴部を占領したままやプラグ刃部の金属部分を露出させたまま放置する物及び取り付けるのに有資格者による工事が必要な物しか見当たらない。
【非特許文献】
【０００８】
【非特許文献１】旭電機化成  節電コンセント ホワイト ASW-001 、ヤザワ  省エネタップ（2個口） SH102WH 、http://www.ecoichi.com/challenge/46  これなどは、目的電化製品の待機電力の消費は防止できるが、この装置自体にランプが付いており、そこで必要のない電力が消費される。
【考案の概要】
【考案が解決しようとする課題】
【０００９】
節電が呼びかけられている昨今、コンセントから使わない電気製品のプラグを抜く事は一般家庭や工場、事業所等において日常化してきているが、抜いたプラグをそのまま放置しているのが現状で床に転がしておいてふんずけてしまいプラグを破損させてしまったり、自分の足を負傷してしまったりする事があった。
【００１０】
解決しようとする問題は、それらを片付ける事無く、簡素な方法でプラグコードの散乱やプラグ刃部の破損または危険を無くし、使っていない電気製品の待機電力消費を０にする事にある。
【課題を解決するための手段】
【００１１】
使わない電気製品を電源から切り離す事で完全に待機電力を防ぐ事が出来る。
その為には、プラグをコンセントから抜く事が最も簡易で確実な方法である。
【００１２】
しかし、抜いたプラグをそのままにしておくと待機電力消費問題は解消できるが、金属であるプラグ刃部による危険性が残るので、プラグ刃部を安全に収納するか、危険の無いように保護する必要性がある。
【００１３】
そこで電源コンセントの近くに通電していないコンセント状の刃受け穴部を設け、電源コンセントから抜いたプラグを通電していないコンセント状の刃受け穴に差し替える事に寄り解決する。
【考案の効果】
【００１４】
本考案の装置は安価に誰もが、気軽に電源コンセント近くに取り付ける事の出来る簡易型節電・整理器具であり、節電の為に他のエネルギーを消費する事も無く電源コードが散乱する事も防げる利点がある。
【図面の簡単な説明】
【００１５】
【図１】一般的なコンセントプレートを利用してコンセント横にストッカー部分を固定している例である。
【図２】一般的なコンセントプレートを利用してコンセント下にストッカー部分を固定している例である。
【図３】一般的なコンセントプレートを利用してコンセント横に列状のストッカー部分を固定している例である。
【図４】一般的なコンセントプレートを利用してコンセント下にコンセント刃受け部と同じ形状のストッカー部分を固定している例である。
【図５】実施例の説明画像
【考案を実施するための形態】
【００１６】
本考案により、待機電力防止の為に抜いたコンセントプラグを通電時と同じような形で保持出来、また、一時的に使わない電気製品のコンセントプラグをわざわざ片付けなくても散乱させる事無く安全に整理する事が出来る。
【実施例】
【００１７】
一般的なコンセントカバーの刃受け部図5-１及び図5-2を露出させながらその近くに通電していないプラグホルダー部図5-3を設ける事に寄り使っていない電気製品のプラグ図5-4を待機電力を消費する事無く通常使用時と同じ感覚で保持する事が出来る。
【産業上の利用可能性】
【００１８】
産業分野においても省エネが叫ばれて久しいが、高度な節電対策ばかりが注目され、アナログ的なちょっとした手間で解決できる操作、作業等については重要視されていない。しかし、待機電力だけで全消費電力の６〜１０％が消費されている現実を鑑みると、本考案の装置を使う事により、現場での節電の他、作業性の向上が期待できる。
【図１】
0003187913.tif 000003
【図２】
0003187913.tif 000004
【図３】
0003187913.tif 000005
【図４】
0003187913.tif 000006
【図５】
0003187913.tif 000007
【手続補正書】
【提出日】平成25年7月10日(2013.7.10)
【手続補正１】
【補正対象書類名】実用新案登録請求の範囲
【補正対象項目名】全文
【補正方法】変更
【補正の内容】
【実用新案登録請求の範囲】
【請求項１】
電気工事を要せず既存コンセント部に直接、またはその近くに配置し、一時的に使わない電気製品の待機電力消費を防ぐ為に電源コンセントから抜いたプラグを通常のコンセント穴と同形状の物やその穴部を繋げた溝構造からなる差し込み部を持つ通電していないコンセントプラグの保持器でプラグ刃部を露出させる事無く保持する事を特徴とするコンセントプラグストッカー 
【請求項２】
プラグの重さや摩擦力の低下により、ズレたり抜け落ちる事を防止する為に、刃受け部分に凹凸や切れ目を備えたり磁石を用いた事を特徴とする請求項１に記載のコンセントプラグストッカー。 
【請求項３】
ＪＩＳ C 8303：2007において規格化されている器具を対象にしたコンセントプレートに対してワンタッチで取り付けできる事を特徴とする請求項１に記載のコンセントプラグストッカー。 
【請求項４】
複数の刃受け部、若しくは溝部の定位置に目的器具の名称等を示した事を特徴とする請求項１に記載のコンセントプラグストッカー。 
【請求項５】
面ファスナー、ワンタッチテープ、両面テープ、接着剤、ビスまたは、コンセントプレート等に爪を引っ掛ける方法及びそれらを複数兼ね備えた方法に寄り、取付ける事を特徴とする請求項１に記載のコンセントプラグストッカー。